(57)【特許請求の範囲】
【請求項１】
水を導入するボディ本体とヘッド本体とを、軸方向の移動を阻止して相対回転可能に連結し、ボディ本体内には、そのボディ本体に対してスプライン結合し、ヘッド本体に対してねじ結合した中空のスピンドルを設け、ボディ本体とヘッド本体とを相対回転させることによって上記スピンドルが軸方向に移動する構成にする一方、このスピンドルの中を第１水路とし、ヘッド本体に設けたガイド筒に上記スピンドルの先端部分を摺動自在に挿入するとともに、これらガイド筒とヘッド本体との間を第２水路とし、かつ、上記スピンドルの軸方向移動にともなって、第１水路と第２水路とを連通させたり、その連通を遮断させたりするとともに、第１水路と第２水路とが連通しているとき、水をヘッド本体に設けたシャワー板側に導き、第１水路と第２水路との連通が遮断されているとき、水をヘッド本体に設けた噴出口側に導く構成にした散水用ノズル。
【請求項２】
第１開閉機構と、第２開閉機構とを設け、第１開閉機構は、中空のスピンドルに形成した通孔と、その前方外周にはめた一対のシール部材と、ガイド筒に形成した連通孔とからなり、スピンドルが軸方向に移動する過程で、上記通孔と連通孔とを連通させて開口状態としたり、一対のシール部材が連通孔をまたいで通孔と連通孔との連通を遮断して遮断状態としたりする構成にし、第２開閉機構は、ガイド筒側に設けた噴出口と、スピンドル側に設けた栓部とからなり、スピンドルが移動することによって栓部が噴出口から抜けて開口状態としたり、栓部が噴出口をふさいで遮断状態としたりする構成にするとともに、上記第１開閉機構および第２開閉機構は、いずれか一方が開口状態のとき、他方が遮断状態となる構成にした請求項１に記載の散水用ノズル。
【発明の詳細な説明】
【０００１】
【発明の属する技術分野】
この発明は、直射やシャワーなど散水時の水形を切換えられる散水用ノズルに関するものである。
【０００２】
【従来の技術】
直射とシャワー水形を切換えることができる散水用ノズルとして、実公平３−３７７２４号公報に記載されたものが従来から知られている。
この従来の散水用ノズルは、ヘッド本体とプランジャ部分とを軸線方向に相対移動して、直射水形とシャワー水形とに切換えるようにしている。そして、シャワー水形にしているとき、ヘッド本体とプランジャ部分との組み合わせ長さがもっとも長くなり、直射水形など、シャワー水形以外の水形のとき、全長が短くなる構成にしている。
【０００３】
【発明が解決しようとする課題】
上記のようにした従来の散水用ノズルでは、シャワー水形を維持しているときに、ヘッド本体とプランジャ部分との組み合わせ全長が最も長くなる。そして、通常は、このシャワー水形を使うことが最も多い。ということは、上記組み合わせ全長を長くした状態で使うことが多くなる。ところが、組み合わせ全長が長くなった状態では、その組み合わせ部分の強度が弱くなる。なぜなら、組み合わせ全長が長い状態では、ヘッド本体とプランジャ部分との重なり合い部分がほんの一部になるからである。そのために、組み合わせ部分の強度が不足して、ノズルが壊れてしまうことがあった。
【０００４】
また、長い状態で使っていると、ヘッド本体とプランジャ部分との摺動箇所に、砂や泥などが付着する。このように摺動箇所に砂や泥などが付着していると、ヘッド本体とプランジャ部分とを相対移動させ難くなる。無理してそれらを相対移動させると、シール部材などを傷つけてしまい、水漏れの原因となるなどの問題が発生していた。
【０００５】
第１の発明は、水を導入するボディ本体とヘッド本体とを、軸方向の移動を阻止して相対回転可能に連結し、ボディ本体内には、そのボディ本体に対してスプライン結合し、ヘッド本体に対してねじ結合した中空のスピンドルを設け、ボディ本体とヘッド本体とを相対回転させることによって上記スピンドルが軸方向に移動する構成にする一方、このスピンドルの中を第１水路とし、ヘッド本体に設けたガイド筒に上記スピンドルの先端部分を摺動自在に挿入するとともに、これらガイド筒とヘッド本体との間を第２水路とし、かつ、上記スピンドルの軸方向移動にともなって、第１水路と第２水路とを連通させたり、その連通を遮断させたりするとともに、第１水路と第２水路とが連通しているとき、水をヘッド本体に設けたシャワー板側に導き、第１水路と第２水路との連通が遮断されているとき、水をヘッド本体に設けた噴出口側に導く構成にした点に特徴を有する。
【０００６】
第２の発明は、第１開閉機構と、第２開閉機構とを設け、第１開閉機構は、中空のスピンドルに形成した通孔と、その前方外周にはめた一対のシール部材と、ガイド筒に形成した連通孔とからなり、スピンドルが軸方向に移動する過程で、上記通孔と連通孔とを連通させて開口状態としたり、一対のシール部材が連通孔をまたいで通孔と連通孔との連通を遮断して遮断状態としたりする構成にし、第２開閉機構は、ガイド筒側に設けた噴出口と、スピンドル側に設けた栓部とからなり、スピンドルが移動することによって栓部が噴出口から抜けて開口状態としたり、栓部が噴出口をふさいで遮断状態としたりする構成にするとともに、上記第１開閉機構および第２開閉機構は、いずれか一方が開口状態のとき、他方が遮断状態となる構成にした点に特徴を有する。
【０００７】
【発明の実施の形態】
図に示した実施例は、ヘッド本体ｈの後側に大径筒部３０ａと小径筒部３０ｂとを形成するとともに、後端に位置する小径筒部３０ｂをボディ本体ｂに回転自在に挿入している。そして、両者の軸方向の抜けは、リング部材３８で止めている。なお、このヘッド本体ｈの拡大径部３１に、多数の小孔を形成したシャワー板３２を設けている。
上記小径筒部３０ｂの内面には、雌ネジ３３を形成するとともに、この雌ネジ３３には、スピンドルｓの外側に形成した雄ネジ３４とかみ合わせている。
上記スピンドルｓは、その中を中空にして第１水路３５を形成している。そして、このスピンドルｓの後端を、ボディ本体ｂ側に突出させるとともに、その突出端に形成したスプラインキー３６をボディ本体ｂに形成したスプライン溝３７にかみ合わせている。これによって、スピンドルｓは、回転を阻止されながら、軸方向に移動可能に支持される。
【０００８】
したがって、ボディ本体ｂとヘッド本体ｈとを相対回転させれば、両ネジ３３、３４の作用で、スピンドルｓが軸方向に移動する。
上記のようにしたスピンドルｓの先端は、ヘッド本体ｈ内に固定したガイド筒ｇに摺動自在に挿入している。そして、このガイド筒ｇには連通孔３９を形成するとともに、スピンドルｓにも通孔４０を形成している。したがって、これら両孔３９、４０が図示のように一致すれば、第１水路３５がヘッド本体ｈ内に形成した第２水路４１と連通する。
【０００９】
そして、通孔４０の前方におけるスピンドルｓの外周には、１対のシール部材４２、４２を設けている。このシール部材４２、４２は、スピンドルｓの移動位置によっては、上記連通孔３９を完全にまたぐことになる。このように連通孔３９をまたげば、その周囲がシールされるとともに、連通孔３９と通孔４０とが食い違う。したがって、連通孔３９と通孔４０との連通が遮断され、第１水路３５と第２水路４１との連通も遮断されることになる。つまり、連通孔３９、通孔４０及びシール部材４２、４２が相まって、この発明の第１開閉機構を構成するものである。
【００１０】
また、このスピンドルｓの先端には調整棒４３を一体に形成するとともに、この調整棒４３の基端周囲には、流通孔４４を形成している。なお、第１水路３５とは、この流通孔４４も含めた概念である。
上記調整棒４３の先端には、水形切換え用のフランジ４５を形成し、このフランジ４５の後方に栓部４６を形成している。この栓部４６の周囲にはシール部材４７をはめ付け、図示のように、シャワー板３２の中心部分に形成した噴出口４８に栓部４６が位置しているとき、このシール部材４７で噴出口４８をシールして閉じる。つまり、これら栓部４６及び噴出口４８が相まって、この発明の第２開閉機構を構成するものである。
この状態では、連通孔３９と通孔４０とが連通し、第１水路３５に導入された水は、第２水路４１に導かれる。
なお、上記フランジ４５の直径は、噴出口４８よりもわずかに小さくし、フランジ４５が噴出口４８内に位置するとき、その噴出口４８との間にわずかなすき間を維持するようにしている。
【００１１】
したがって、上記栓部４６が噴出口４８から退避して、フランジ４５が噴出口４８内に位置するときには、第１水路３５を通過した水は、このわずかなすき間から噴出し、いわゆる直射水形を維持することになる。
ボディ本体ｂのうちのグリップ部４９内には摺動筒５０を設け、この摺動筒５０の先端にポペット部５１を形成している。
そして、このポペット部５１は、ボディ本体ｂに設けたレバー５２を揺動させることによって上下動し、流出口５３を開閉するものである。
【００１２】
次に、この実施例の作用を説明する。
スピンドルｓが最も前方に位置しているときには、その栓部４６で噴出口４８を閉じるとともに、連通孔３９と通孔４０とを一致させる。この状態で、レバー５２を図面反時計方向に回動させれば、流出口５３が開くので、水は、第１水路３５→通孔４０→連通孔３９→第２水路４１を経由して、シャワー板３２に形成した多数の小孔から噴出される。このときの水形は、シャワー水形となる。
【００１３】
上記の状態からヘッド本体ｈとボディ本体ｂとを少し相対回転させると、スピンドルｓが図示の状態から少し後退する。このようにスピンドルｓが少し後退すれば、後方のシール部材４２が連通孔３９を少しふさぐので、そこを通過する流量が少なくなる。したがって、この場合の水形は、ジョーロ水形となる。
スピンドルｓをさらに後退させると、上記連通孔３９がシール部材４２、４２で完全にシールされるので、第１水路３５と第２水路４１との連通が遮断される。これと同時に、栓部４６が噴出口４８から退避するので、この噴出口４８が全開状態になる。
したがって、第１水路３５に導かれた水は、この噴出口４８から噴出する。ただし、この場合には、フランジ４５が噴出口４８に接近するので、この噴出口４８から噴出する水は、このフランジ４５で拡散されて、拡散水形を維持することになる。
【００１４】
スピンドルｓをさらに後退させると、第１、２水路３５、４１の連通を遮断しながら、フランジ４５が噴出口４８内に進入する。したがって、このフランジ４５と噴出口４８とのすき間から、水が、直射水形を維持しながら噴出されることになる。
いずれにしても、この実施例の場合には、中のスピンドルｓだけが移動し、ヘッド本体ｈとボディ本体ｂとが、軸方向に相対移動しない。
したがって、両者の組み合わせ部分の強度を十分に維持しておけば、その使用過程で、その組み合わせ部分の強度が弱くなったりしない。
【００１５】
【発明の効果】
第１の発明の散水用ノズルによれば、ボディ本体とヘッド本体とを、軸方向の移動を阻止して相対回転可能に連結し、ボディ本体内には、そのボディ本体に対してスプライン結合し、ヘッド本体に対してねじ結合した中空のスピンドルを設けたので、ボディ本体とヘッド本体とを相対回転させることによって、ボディ本体内のスピンドルだけが軸方向に移動する。つまり、両本体が軸方向に相対移動せずに、第１水路と第２水路とを連通させたり、遮断させたりすることができるので、従来のように、両本体の組み付け長さが、長くなったり短くなったりするようなことがなくなる。
したがって、この発明の場合には、ボディ本体とヘッド本体との組み付け部分の強度を常に一定に保てる。
しかも、この第１の発明は、スピンドルの移動にともなって開閉機構を開閉させ、水をシャワー板あるいは噴出口側に導くことができるので、シャワー板あるいは噴出口に応じた水形を自由に選択できる。
【００１６】
さらに、第２の発明によれば、スピンドルの移動過程で、シール部材が連通孔の開度を制御できるので、シャワー水形やジョーロ水形を実現することができる。また、栓部が噴出口から抜けた段階で、直射水形や拡散水形も実現できる。
【図面の簡単な説明】
【図１】実施例のシャワー水形時の断面図である。
【符号の説明】
ｂ            ボディ本体
ｈ            ヘッド本体
ｇ            ガイド筒
３５          第１水路
４１          第２水路
ｓ            スピンドル
４５          フランジ
【図１】
0003601695.tif 000002